(57)【特許請求の範囲】
【請求項１】
前表面上に複数のスペーサが設けられているプラグコネクタを挿入するための収容空間が開設された絶縁体と、
ベース及び該ベースに設置された複数端子を含み、前記の各端子はいずれも斜め方向に湾曲し、ベースの上表面に所定の角度を形成し、かつ前記収容空間内に延伸する接触部、及び絶縁体の後方向へ後表面に延出した端部を含み、前記端子モジュールのベースの上表面、かつ端子接触部の下方位置に支持台が突設され、また該支持台上に各両隣接した端子接触部間の間隔に対応して前記プラグコネクタのスペーサに係合する複数の凹溝が開設された端子モジュールを含むことを特徴とする一種のレセプタクルコネクタ。
【請求項２】
前記端子接触部と支持台間の距離は、端子接触部の弾性変形の降伏臨界値より小であることを特徴とする請求項１記載のレセプタクルコネクタ。
【請求項３】
前記支持台の前表面は、ベースの上表面に所定角度を形成する傾斜表面であることを特徴とする請求項２記載のレセプタクルコネクタ。
【請求項４】
前記絶縁体の外周壁は、遮蔽体に被覆されたことを特徴とする請求項１記載のレセプタクルコネクタ。
【請求項５】
一対の発光ダイオードを含み、前記各発光ダイオードは発光ダイオードを絶縁体に固定するためのガイドポストが設けられたことを特徴とする請求項１記載のレセプタクルコネクタ。
【請求項６】
前記絶縁体の頂面に発光ダイオードをそれぞれ収容可能な一対の凹部が設けられたことを特徴とする請求項５記載のレセプタクルコネクタ。
【請求項７】
前記絶縁体の頂面は、発光ダイオードのガイドポストをそれぞれ収容可能な一対の円孔が設けられたことを特徴とする請求項６記載のソケットコネクタ。
【発明の詳細な説明】
【０００１】
【産業上の利用分野】
本発明は一種のレセプタクルコネクタ、特に一種誤挿入防止装置で、かつモジュール化された通信ネットワークのレセプタクルコネクタに関するものである。
【０００２】
【従来の技術】
通信ネットワーク用ＲＪ−４５プラグコネクタおよびレセプタクルコネクタの幅寸法は、有線電話ネットワーク用ＲＪ−１１プラグコネクタとレセプタクルコネクタの幅より大きく要求されるため、ＲＪ−１１プラグコネクタはＲＪ−４５レセプタクルコネクタ中に挿入してしまう虞がある。またＲＪ−１１プラグコネクタがＲＪ−４５レセプタクルコネクタ中に挿入されてしまった場合、ＲＪ−４５レセプタクルコネクタ中の導電端子を損傷し、電気的な破壊まで至ることも考えられるものである。
【０００３】
【発明が解決しようとする課題】
そのために、ＵＳＰ６，０２２，２４６に、一種前記に近似したコネクタを開示し、互いに当接したプラグコネクタとレセプタクルコネクタの上に、前記両コネクタを誤って取付けてしまったことをなくすために、誤挿入防止構造を設置する。しかし、前記のような構造設計では、寸法の小さいＲＪ−４５レセプタクルコネクタの挿入防止に応用されることができない。また、ＵＳＰ０９／５３６，１６５は、一種の誤挿入防止装置を備えたレセプタクルコネクタを開示し、その誤挿入防止装置はレセプタクルコネクタ収容空間内の入り口に設けられ、それと当接するコネクタが挿入された場合、該誤挿入防止装置を押入し、偏り変形を生じさせることにより、当接したコネクタが挿入され得るものである。
【０００４】
しかし、該誤挿入防止装置は、入り口に設けられていたため、充分な挿入空間を提供し、特に縦方向の長さは、該誤挿入防止装置を収容するための充分な収容空間が必要とし、またはそれを回転できる空間が必要とするので、現に発展しようとする小型化電子部品にとって明らかに不利であり、かつ当接するコネクタの頻繁に挿しぬきする過程において、該誤挿入防止装置は、前記収容空間の入り口から脱落する虞があるため、このような設計は、さらに改良する必要があると考える。
【０００５】
本発明は、主に一種の誤挿入防止装置を備えたレセプタクルコネクタを提供することにより、整合しないプラグコネクタの挿入による機能の喪失を防止することができる。
【０００６】
また、本発明は、誤挿入防止装置を備えたレセプタクルコネクタは、その構造が簡単で、しかも端子モジュールの強度を向上するとともに、誤挿入防止機能の信頼性が高く、空間を節約することで、電子部品の小型化、またはコストを低減できる効果を実現できる他の目的とする。
【０００７】
【課題を解決するための手段】
前記本発明の主たる目的に基づいて、本発明のレセプタクルコネクタは、絶縁体及び端子モジュールなどの部材を含み、前記絶縁体の前表面に当接プラグコネクタを挿入するための収容空間を開設し、前記端子モジュールは、絶縁体に設置され、ベース及び射出成形方式によりベース上に設置された複数の端子を含む。前記各端子は、いずれもベースの上表面に所定の角度に斜めわん曲し、前記の収容空間に延伸する接触部と、後方向へ絶縁体の後表面に延出した端部を含む。端子モジュールのベースの上表面に、かつ端子の接触部の下方位置に支持台が突設され、さらに該支持台上に各対に隣接した端子接触部間の間隙に複数の凹溝が開設され、該レセプタクルコネクタに整合するプラグコネクタに対応した数のスペーサを設け、端子間の弾性当接を影響せずに、前記の凹溝内にそれぞれ嵌入させる。また整合しないプラグコネクタのスペーサ数は前記凹溝の数に対応できず、前記の凹溝と一々整合できないため、プラグコネクタが挿入された時、レセプタクルコネクタの端子を直接に押圧することで、支持台上に当接させ、整合しないプラグコネクタの挿入を阻止することができる。
【０００８】
【実施例】
図１及び図４に示すように、一種の誤挿入防止装置のＲＪ−４５レセプタクルコネクタ１は、外回りに遮蔽体３０が囲まれた絶縁体１０と、前表面にＲＪ−４５プラグコネクタを収納するために開設された収容空間１１と、頂面１０ａ上に発光ダイオード１３をそれぞれ収容できる一対の凹部１２及び該発光ダイオード１３のガイドポスト１３１を収容する円孔１４と、表面に設けられた開口（図示せず）とを含み、端子モジュール２０は、該開口から絶縁体１０中に組み込まれる。
【０００９】
図２及び図３に示すように、端子モジュール２０は、絶縁体１０中に組み立てられ、ベース２２及び射出成形方式により、該ベース２２に設置された複数端子２１を含み、これらの各端子２１は何れも斜めにわん曲し前記ベース２２上の表面と所定の角度を形成する接触部２１ａ、及び後方向へ絶縁体の後表面から延出する端部２１ｂを含む。また、端子モジュール２０は絶縁体１０に組み立てられた場合、端子の接触部２１ａは絶縁体１０の収容空間１１内に延伸するものである。
【００１０】
誤挿入防止装置は、端子モジュールのベース２２の上表面に、かつ端子接触部２１ａの下方位置に突設された支持台４０である。ＲＪ−４５プラグコネクタ５０（図５）のスペーサ５１が支持台４０に接触しないように、該支持台において各両隣接した端子接触部２１ａ間の間隙部に対応する複数の凹溝４１が開設され、支持台４０の前表面はベース２２の上表面に所定の角度を形成した傾斜表面４２である。端子接触部２１ａと支持台４０間の距離は、端子接触部２１ａの弾性変形の降伏臨界変形量より小さいため、端子２１が支持台４０に当接した時の変形量は、弾性的に破壊しない弾性変形の範囲内にあるものとする。
【００１１】
図５及び図６に示すように、該レセプタクルコネクタ１に整合するＲＪ−４５プラグコネクタ５０に凹溝４１の数に対応する複数のスペーサ５１が設けられ、端子間の弾性当接に影響せずに、ＲＪ−４５レセプタクルコネクタ１の凹溝４１内にそれぞれ対応的に嵌入される。整合しないプラグコネクタ、例えばＲＪ−１１プラグコネクタ６０のスペーサ６１の数は、ＲＪ−４５レセプタクルコネクタ５０に設けられた凹溝の数と対応しないため、前記凹溝にそれぞれ合わせることができない。また、その両側設置された側壁６２はＲＪ−４５プラグコネクタの側壁５２より厚く形成される。それを挿入した場合、レセプタクルコネクタ１の端子２１を直接に圧迫し支持台に当接させるので、整合しないプラグコネクタの挿入を阻止することができる。
【００１２】
図７及び図８に示すように、ＲＪ−４５プラグコネクタ５０はＲＪ−４５レセプタクルコネクタ１に挿入し始めた時、横方向の寸法と収容空間１１の横方向の寸法に一致しているので、ＲＪ−４５プラグコネクタ５０の底面の側壁５２は、絶縁体１０の底面１０ｂの両側から即時に挿入でき、プラグコネクタがＲＪ−４５レセプタクルコネクタ１に一歩進んで挿入された時、ＲＪ−４５レセプタクルコネクタにソケットの凹溝４１に対応した数のスペーサ５１が設けられるため、端子間の弾性的当接に影響せずに、前記凹溝４１内にそれぞれ対応して嵌入される。
【００１３】
図９及び図１０に示すように、整合しないプラグ、例えばＲＪ−１１プラグコネクタ６０をＲＪ−４５レセプタクルコネクタ１に挿入始めた時に、ＲＪ−１１プラグコネクタの幅はＲＪ−４５レセプタクルコネクタの幅より小さいため、ＲＪ−１１プラグコネクタ６０が絶縁体１０の収容空間１１に挿入することができる。また、ＲＪ−１１プラグコネクタ６０がＲＪ−４５レセプタクルコネクタ１内に一歩進んで挿入された時、たとえその中央部スペーサ６１の大きさは、ＲＪ−４５レセプタクルコネクタ１の中間凹溝の大きさ対応しても、ＲＪ−１１プラグコネクタ上のスペーサの数は、凹溝の数に対応しないため、その厚い側壁６２はＲＪ−４５レセプタクルコネクタ１内に並列して配置された端子ユニットの最外側の両端子上に直接に当接することによって、該両端子は強制に圧迫され、弾性変形を生じさせる。しかし、端子接触部２１ａと支持台間の距離は、端子接触部弾性変形の降伏臨界変形量より小さいため、端子接触部２１ａが降伏する前、既に支持台４０に当接したため、さらに下方向へのわん曲変形ができなくなるので、整合しないＲＪ−１１プラグコネクタを一歩進んで挿入することを阻止し、端子の破壊しないように保証される。
【００１４】
支持台４０は、端子をわん曲した後に形成された空間内に位置されるので、必要な空間を節約でき、また支持台４０上に各両隣接した端子の接触部２１ａに対応して複数の凹溝４１を開設し、かつ支持台４０が端子モジュールのベース２２上に突設されるので、構造的は簡単で、コストも低減することができる。
【００１５】
前記を総じて、本発明は特許登録の要件を具備し、法により出願し登録すべきものである。なお、前記は、単なる本発明の具体的実施例にすぎず、本発明の技術を熟知しているものが本発明に基づきなしうる細部の修飾或いは変更など、いずれも本発明の請求範囲に属するものとする。
【図面の簡単な説明】
【図１】レセプタクルコネクタの立体分解図。
【図２】端子モジュールをわん曲する前の立体図。
【図３】端子モジュールをわん曲した後の側面図。
【図４】レセプタクルコネクタの組合わせ図。
【図５】本ソケットコネクタに整合できるＲＪ−４５ソケットコネクタの底面図。
【図６】本発明に係るレセプタクルコネクタに整合しないＲＪ−１１レセプタクルコネクタの底面図。
【図７】ＲＪ−４５プラグコネクタはＲＪ−４５レセプタクルコネクタに挿入し始めた時の断面見取図。
【図８】ＲＪ−４５プラグコネクタは、一歩進んでＲＪ−４５レセプタクルコネクタに挿入された時の断面見取図。
【図９】ＲＪ−１１プラグコネクタは、ＲＪ−１１レセプタクルコネクタに挿入し始めた時の断面見取図。
【図１０】ＲＪ−１１プラグコネクタは、一歩進んでＲＪ−１１レセプタクルコネクタに挿入された時の断面見取図。
【符号の説明】
１                          ＲＪ−４５レセプタクルコネクタ
１０                        絶縁体
１０ａ                      絶縁体の上面
１０ｂ                      絶縁体の底面
１１                        収容空間
１２                        凹部
１３                        発光ダイオード
１３１                      ガイドポスト
１４                        円孔
２０                        端子モジュール
２１                        端子
２１ａ                      接触部
２１ｂ                      端部
２２                        端子モジュールベース
３０                        遮蔽体
４０                        支持台
４１                        凹溝
４２                        傾斜表面
５０                        ＲＪ−４５プラグコネクタ
５１                        ＲＪ−４５プラグコネクタスペーサ
５３                        ＲＪ−４５プラグコネクタ側壁
６０                        ＲＪ−１１プラグコネクタ
６１                        ＲＪ−１１プラグコネクタスペーサ
６２                        ＲＪ−１１プラグコネクタ側壁
【図１】
0004022410.tif 000002
【図２】
0004022410.tif 000003
【図３】
0004022410.tif 000004
【図４】
0004022410.tif 000005
【図５】
0004022410.tif 000006
【図６】
0004022410.tif 000007
【図７】
0004022410.tif 000008
【図８】
0004022410.tif 000009
【図９】
0004022410.tif 000010
【図１０】
0004022410.tif 000011